(57)【特許請求の範囲】
【請求項１】
積み重ねた転写材を載置して画像形成装置本体内に着脱自在に設けた台車を有する転写材処理装置において、
前記台車は、前記転写材を載置する載置部と、キャスターを備えた支持部と、前記載置部と前記支持部とを一端側で保持する保持部とを有し、
前記載置部と前記支持部と前記保持部とにより、前記画像形成装置の底板を位置させて前記台車を装着する空間を形成し、
前記空間を形成する部分の前記載置部または前記支持部に一端を軸支して枢動可能に設けた支持部材を設け、
常態において前記支持部材が前記載置部と前記支持部とを支持し、前記台車を装置本体内に装着するときに前記支持部材が枢動して前記載置部と前記支持部との支持を解放して退避位置に位置することを特徴とする転写材処理装置。
【請求項２】
前記底板の上面と前記載置部の下面との間にコロが設けられていることを特徴とする請求項１記載の転写材処理装置。
【請求項３】
前記画像形成装置本体に前記台車を装着するときに所定の位置に沿って移動可能に設けたガイド部材を有することを特徴とする請求項１または２記載の転写材処理装置。
【発明の詳細な説明】
【０００１】
【発明の属する技術分野】
本発明は、複写機、プリンター等の画像形成装置内に排出された転写材を台車に載置して着脱する転写材処理装置に関する
【０００２】
【従来の技術】
一枚ずつ高速で画像形成装置あるいは画像形成部に給紙させ、画像形成された転写材を排出させ積載台に転写材の一端側が揃えるように積載する排紙装置が知られる。
例えば、画像形成された転写材を所定の位置に位置する排出口から排出される転写材の上面を吸引ベルトで吸引搬送して排紙装置本体内に設けた積載台に順次に積み重ね、転写材の最上面の位置が変化したことを検知して積載台が移動手段によって下方に移動させ多数枚の転写材を積載している。
積載された転写材は数千枚になる場合も生じ、重量にして数十Ｋｇとなってしまう。この積載された転写材を装置本体から取り出して台車に乗せ変えて外部の任意の位置に運び出している。
【０００３】
【発明が解決しようとする課題】
上記したように排出された転写材を排紙装置内の積載台から台車に乗せ変えたり、少数枚の転写材を排紙装置内の積載台に手をさしのべて取らなくてはならず、繁雑な作業となり、オペレータに負担がかかってしまう。
あるいは台車を画像形成装置内に装着する場合、画像形成装置の底板がじゃまとなって台車をいったん持ち上げるなどして装着しなければならず、また台車を取り出すときも装置本体内からいったん持ち上げて取らなければならず煩雑な作業となってしまう。
更に、底板内には移動手段としてのタイミングベルトや、配線、駆動装置などが組み込まれており、これらを別の位置に配置した場合、装置の大型化を免れなくなる。
【０００４】
本発明は、上記した問題点に鑑みてなされたものであり、積載台に排出された転写材を簡単な構成により画像形成装置から外部に運び出すことができる転写材処理装置を提供することを課題とする。
【０００５】
【課題を解決するための手段】
上記課題を解決するため、積み重ねた転写材を載置して画像形成装置本体内に着脱自在に設けた台車を有する転写材処理装置において、前記台車は、転写材を載置する載置部と、キャスターを備えた支持部と、前記載置部と前記支持部とを一端側で保持する保持部とを有し、前記載置部と前記支持部と前記保持部とにより、前記画像形成装置の底板を位置させて前記台車を装着する空間を形成し、前記空間を形成する部分の前記載置部または前記支持部に一端を軸支して枢動可能に設けた支持部材を設け、常態において支持部材が前記載置部と支持部とを支持し、前記台車を装置本体内に装着するときに前記支持部材が枢動して前記載置部と支持部との支持を解放して退避位置に位置することを特徴とする。
【０００７】
更に、前記底板の上面と前記載置部の下面との間にコロが設けられていることを特徴とし、前記画像形成装置本体に前記台車を装着するときに所定の位置に沿って移動可能に設けたガイド部材を有することを特徴とする。
【０００８】
このような構成において、台車を画像形成装置本体に装着するときに、移動手段を備えた画像形成装置の底板を台車の載置部と支持部とによって挟むように装着する。底板はキャスタや固定脚などにより所定の高さを有しており、この隙間に支持部が挿入される。
次いで載置部と支持部を支持する支持部材が底板の一部に当接し、台車を挿入に従って支点を中心に枢動し、載置部と支持部の支持が解放され、載置部が底板の上部をコロの作用によってスムーズに移動する。このとき、底板に設けたガイド部材が台車を案内する。
【０００９】
【発明の実施の形態】
この発明の好適な実施例を図面に基づいて説明する。
図１は画像形成装置１の一例を示す概略図であり、大別して給紙部２、画像形成部３、排紙部４とを有する。
給紙部２は、使用する転写材のサイズや種類別に複数のスタッカー５ａ、５ｂに積載されており、オペレータが選択した転写材を画像形成部に吸引ベルト６などの給紙手段により一枚ずつ画像形成部３へと給紙している。
【００１０】
画像形成部３は周知の画像を形成する手段が備えられており、給紙部２から送られてきた転写材に対して画像形成がなされ、例えば、感光ドラム７を中心に一様帯電を行うコロナ帯電器８と、画像データを感光ドラム７上に露光するＬＥＤアレイ等の露光装置９と、露光装置９によって形成された感光ドラム７上の静電潜像を現像剤で現像する現像装置１０と、感光ドラム７上に現像されたトナー画像を転写材に転写する転写コロナ放電器１１と、転写材を感光ドラム７から剥離する分離コロナ放電器１２と、転写後に残留したトナーを除去するブレード等のクリーニング装置１３と、感光ドラム７表面を除電するイレーサーランプ１４と、未定着のトナー像を担持した転写材を定着する定着装置１５とを有する。
【００１１】
排紙部４において画像形成された転写材は、少数枚のプリントにおいては切替手段の切り替えによって上方に位置するトレイ１６に排出している。トレイ１６は排出口１７の下側位置から上方向に傾斜して延びており、出力された転写材の後端を排出口１７の下側の壁に接触させて先端揃えを行っている。
また、多数枚のプリントのときは切り替え手段の切り替えによって下方に位置する画像形成装置の排紙装置１８における転写材処理装置１９の積載台２０に向かって転写材を積み重ねるように積載している。
【００１２】
図２に画像形成装置における転写材処理装置１９の概略側面図、図３に画像形成装置における転写材処理装置１９の概略正面図、図４に画像形成装置における転写材処理装置１９の概略上面図、図５に台車の概略側面図を示す。
転写材処理装置１９は、所定の位置に位置する排出口２１から排出される転写材を順次に集積する積載台２０と、積載台２０を第１の位置で載置し且つ転写材の積載量に応じて上下方向に移動させる移動手段２２と、移動手段２２から積載台２０を分離して第２の位置に載置し且つ画像形成装置本体に対して着脱可能に設けた台車２３とを有する。
【００１３】
積載台２０は、ほぼ四角形状であって平坦な面を有し、最大サイズの転写材の大きさより大きいサイズとなっている。積載台２０の上面には積載される転写材がスムーズに移動させるために複数のテフロンテープが転写材の排出方向に沿うように貼られている。積載台２０の下面には移動手段２２を第１の位置で位置決めさせる孔２４と長孔２５とが設けられており、移動手段２２を構成する後述する保持部材２６に設けた突起２７と係合して位置決めされる。孔２４と長孔２５の長手方向は、転写材の排出方向に対して積載台２０が平行するような方向に設けられ、且つ転写材の排出方向に対して平行するように突起２７を設けることにより、長孔２５のいずれの部分に突起２７が係合しても積載台２０の平行が保持される。
【００１４】
また、積載台２０は、後述する台車２３の載置部２８の所定の位置に位置させるための孔２９と長孔３０とを有する。そして載置部２８に設けた突起３１と係合して位置決めされる。
【００１５】
移動手段２２は、積載台２０を保持する保持部材２６と、保持部材２６を排紙装置から水平方向にスライド移動させるスライド部材３２と、積載台２０を上下に移動させるリフト３３とを有する。
保持部材２６は積載台２０に設けた孔２４および長孔２５を係止する突起２７が設けられており、積載台２０が保持部材２６に第１の位置として係止される。
【００１６】
リフト３３は、移動手段２２を構成する保持部材２６に連結されたスライド部材３２を上下方向に移動させるように排紙装置１８本体に設けられている。スライド部材３２の４カ所にナット３４を設け、このナット３４に排紙装置１８本体側に回転可能に設けたスクリュウ３５を螺合させる。底板３６内にそれぞれのスクリュウ３５の先端にプーリー３７を設けてタイミングベルト３８を掛け、不図示の駆動手段の駆動を受けてスクリュウ３５を駆動させて転写材の最上面の位置が常時一定となるようにスライド部材３２の位置を制御している。
【００１７】
スライド部材３２は、後述する第１のロック部材４３を解除することにより保持部材２６を積載台２０と共に水平方向にスライドさせるもので、好ましくは複数のレールを組み合わせてスライド移動可能に設けたアキュライド（商品名）よりなる。
【００１８】
台車２３は例えば画像形成装置の排紙装置１８内部に対して着脱自在に設けられており、積載台２０を台車２３上の第２の位置に載置して転写材処理装置１９から取り外して運ぶことができるように設けられている。
【００１９】
台車２３は、転写材を載置する載置部２８と、キャスタ４０を備えた支持部４１と、載置部２８と支持部４１とを一端側で保持する保持部７０とを有する。台車２３は、載置部２８と支持部４１と保持部７０とにより略コ字状を形成しており、略コ字状内に空間７２が形成されている。この空間７２内に画像形成装置１本体の底板３６が位置するように台車２３を装着する。
【００２０】
転写材処理装置１９の底板３６内に前記したようにそれぞれのスクリュウ３５を同時に回転駆動させるタイミングベルト３８が張り渡されており、底板３６が厚くなっている。底板３６は画像形成装置１を運搬しやすくするためのキャスター３９が設けられており、所定の位置に設置した場合、固定脚６９の調整ねじにより固定している。このため、底板３６の下面と地面との間には所定の高さが形成される。
【００２１】
載置部２８は積載台２０を所定の位置に位置させるものであり、支持部４１は台車２３を移動させるためのキャスター４０を備えている。キャスタ４０の先端から支持部４１の上面までの高さは画像形成装置の底板３６までの高さよりわずかに低くなっている。
【００２２】
空間７２を形成する部分の載置部２８または支持部４１に一端を軸支して枢動可能に設けた支持部材４９が設けられている。実施例においては載置部２８の下面側に支点５０を中心に枢動可能に設けられている。支持部材４９の先端側はローラ６８が設けられており、支持部４１の上面に段差を設けて常態において支持部材部４９により載置部２８と支持部４１とを支持するように設けられている。
台車２３を装置本体内に装着するときに底板３６が支持部材４９の一部分に当接して支持部材４９が段差から離れて支点５０を中心に枢動し、載置部２８と支持部４１との支持を解放して退避位置に位置する。
【００２３】
底板３６の上面と載置部２８の下面との間にはコロ７１が設けられている。実施例においては底板３６側にコロ７１がに設けられている。特に、転写材を載置した台車２３を引き出すときに支持部材４９が支持していない台車２３をコロ７１により載置部２８を支えながら移動することができる。
【００２４】
また、画像形成装置１本体に台車２３を装着するときに所定の位置に沿って設けたガイド部材６６を有する。ガイド部材６６は底板３６の上面に設けられ、載置部２８の下面に設けたベアリングと係合して案内される。
実施例においては、底板３６と転写材処理装置１９を支持するキャスタ３９の高さの間に、台車２３を支持する支持部４１を差し込み、底板３６を挟むように底板３６の上方に積載台２０を載置する載置部２８を積載台２０の下側に位置するようにガイド４２に沿って挿入する。支持部は台車２３を自在に移動できるようにキャスタ４０が設けられている。
【００２５】
台車２３を転写材処理装置１９本体内に挿入した後は台車２３が排紙装置１８に第２のロック部材４４により固定される。第２のロック部材４４は、台車２３に設けた支点４５を中心に枢動可能なレバー４６と底板３６上に設けた突起４７とを有し、レバー４６の先端のフック部分４８と突起４７とが係止してロックされる。第２のロック部材４４の解除はレバー４６を矢印方向に引くことにより突起４７からフック部４８分が外れてロックが解除され、台車２３が移動可能となる。
【００２６】
台車２３には、移動させやすいように取っ手６２が着脱自在に設けられており、台車を引き出すときに取っ手６２の先端を取り付け孔６３に挿入して引き出す。
尚、取っ手の強度が弱い場合に無理に引っ張ると曲がるなど変形してしまう場合が生じる。このため、第２のロック部材４４を設けることにより不用意な引っ張りを防止している。
【００２７】
更に移動手段２２の保持部材２６の上面には、積載台２０を磁力によって吸着させる磁石５１が設けられている。磁石５１により鉄板などで形成されている積載台２０を磁力の作用により吸着して保持する。積載台２０を分離するときは、移動手段２２を台車２３の第２の位置より低い位置となるように移動させて磁石５１による吸着を解除して積載台２０を移動手段２２から分離させる。
【００２８】
また、移動手段２２は、転写材の排出方向に対して横切る方向に転写材処理装置１９本体から移動手段２２を露出させるスライド部材３２と、排紙装置１８本体の側壁に移動手段２２を係止する第１のロック部材４３とを有する。第１のロック部材４３は、積載台２０に設けたレバー５２と、積載台２３内に設けられレバー４３の動作に連動するリンク部材５３と、リンク部材５３の先端側と係合するＬ字金具５４と、Ｌ字金具５４を係止する排紙装置１８内に設けた突起５５とを有する。
【００２９】
レバー５２はばね手段５６などによりリンク部材５３が矢印Ａ方向とは逆の向きに付勢するように設けられ、レバー５２を動作させると、レバーに連動して移動するリンク部材５３が矢印方向に所定の距離移動する。リンク部材５３の先端側には係合部５７が設けられており、Ｌ字金具５４の一端に設けた突起５８に係合する。係合部５７と突起５８は積載台２０が移動手段２２の第１の位置に位置しているときのみに係合するように設けられている。また、Ｌ字金具５４は支点５９と、他端側にフック６０とを有し、常態においては支点５９を中心にばね手段６１の作用にって矢印Ｂ方向に付勢するように設けられている。
【００３０】
こうしてレバー５２を動作することによりＬ字金具５４の他端側に設けたフック６０と転写材処理装置１９本体に設けた突起５５との係合が解除され、積載台２０が排紙装置１８本体から離れ、スライド部材３２によってスライド移動させることにより積載台２０が保持部材２６とともに外部に露出される。
【００３１】
実施例において排紙装置１８内に転写材を積載台２０上に積載する方法について細述する。
排紙装置１８は、吸引搬送手段６５と、ガイド部材６６と、押圧移動手段６４とを有し、排出口２１から排出された転写材を吸引搬送手段６５によって転写材の上面を吸引しながらガイド部材６６に導く。吸引搬送手段６５の搬送力により転写材の搬送速度に設定された押圧移動手段に到達し、転写材の先端を揃えるように押し当てる。押圧移動手段のベルトの表面は、転写材を押圧しながら前に集積した転写材との間を移動させることができ、且つ転写材の先端がガイド部材に突き当たったときに転写材との間でスリップが生じ、転写材のこれ以上の移動することがない摩擦抵抗を有する。
【００３２】
このような構成により動作について説明する。
排紙装置１８内の保持部材２６の第１の位置に位置する積載台２０上に転写材が所定枚数積載され画像形成が終了する。オペレータはコントロールパネルに設けた積載台２０を下方に移動させるスイッチを動作させ、移動手段２２によりリフト３３が動作して保持部材２６とともに積載台２０が下方に移動する。リフト３３は保持部材２６がリミッターに当接するまで作動し、停止する直前に積載台２０が台車２３の積載部分の第２の位置に載置され、孔２９および長孔３０と突起３１とが係合して位置決めされる。保持部材２６が更に下方に下がることにより磁石５１の作用から開放され積載台２０を分離する。
【００３３】
次いで、第２のロック部材４４を解除して台車２３を排紙装置１８本体から分離させる。オペレータは台車２３をガイド６７に沿って引き出して積載された転写材とともに所定の位置に運び出す。このとき台車２３の引き出し動作に伴って補強部材４９が台車２３の載置部２８と支持部４１との間を補強する。
実施例においては第１の位置の保持部材２６上に積載台２０を確実に載置するために磁石５１を用いたが、第２の位置の台車２３の載置部２８に磁石を設け、載置部２８と積載台２０とを磁石の作用により吸着するように設けても良い。
【００３４】
台車２３に積載された転写材を所定の位置に運んで下ろした後に再度台車２３をガイド６７に沿って装置本体内に装着し、第２のロック部材４４によって台車２３と排紙装置１８とがロックされるまで挿入してセットされる。
【００３５】
【発明の効果】
このような構成により、ワンタッチで台車を装置本体に装着することができる。
画像形成装置の底板がある場合に真っ直ぐ台車を装置本体に挿入することができる。
【図面の簡単な説明】
【図１】  画像形成装置の概略断面図。
【図２】  本発明による排紙装置における転写材処理装置を示す正面図。
【図３】  本発明による排紙装置における転写材処理装置を示す側面図。
【図４】  本発明による排紙装置における転写材処理装置を示す上面図。
【図５】  台車を示す概略側面図。
【符号の説明】
１  画像形成装置
２  給紙部
３  画像形成部
４  排紙部
５ａ、５ｂ  スタッカー
６  吸引ベルト
７  感光ドラム
８  コロナ帯電器
９  露光装置
１０  現像装置
１１  転写コロナ放電器
１２  分離コロナ放電器
１３  クリーニング装置
１４  イレーサランプ
１５  定着装置
１６  トレイ
１７  排出口
１８  排紙装置
１９  転写材処理装置
２０  積載台
２１  排出口
２２  移動手段
２３  台車
２４  孔
２５  長孔
２６  保持部材
２７  突起
２８  載置部
２９  孔
３０  長孔
３１  突起
３２  スライド部材
３３  リフト
３４  ナット
３５  スクリュウ
３６  底板
３７  プーリー
３８  タイミングベルト
３９  キャスター
４０  キャスター
４１  支持部
４２  ガイド
４３  第１のロック部材
４４  第２のロック部材
４５  支点
４６  レバー
４７  突起
４８  フック部材
４９  支持部材
５０  支点
５１  磁石
５２  レバー
５３  リンク部材
５４  Ｌ字金具
５５  突起
５６  ばね手段
５７  係合部
５８  突起
５９  支点
６０  フック
６２  取っ手
６３  取り付け孔
６４  移動押圧手段
６５  吸引搬送手段
６６  ガイド部材
６７  ガイド
６８  ローラ
６９  固定脚
７０  保持部
７１  コロ
７２  空間
【図１】
0004632276.tif 000002
【図２】
0004632276.tif 000003
【図３】
0004632276.tif 000004
【図４】
0004632276.tif 000005
【図５】
0004632276.tif 000006